(57)【要約】【課題】操作体から外れにくいキャップを有する電子機器を提供する。【解決手段】電子機器１０は、本体１２と、本体１２に対して進退可能な操作体２２と、少なくとも一部が金属で構成され、操作体２２に被せられたキャップ６０と、本体１２に固定される環状の保護環７０と、を含む。保護環７０の少なくとも一部は、操作体２２のキャップ６０側から見たときに、キャップ６０の少なくとも一部を覆う。【選択図】図２
2017004829.tif 000002
【特許請求の範囲】
【請求項１】
本体と、
前記本体に対して進退可能な操作体と、
少なくとも一部が金属で構成され、前記操作体に被せられたキャップと、
前記本体に固定される環状の保護環と、
を含み、
前記保護環の少なくとも一部は、前記操作体の前記キャップ側から見たときに、前記キャップの少なくとも一部を覆う、電子機器。
【請求項２】
請求項１において、
前記本体は、前記本体から突出する環状の環状壁を含み、
前記環状壁は、前記操作体の前記キャップ側から見たときに、前記保護環の少なくとも一部を覆う、電子機器。
【請求項３】
請求項２において、
前記環状壁及び前記操作体は、前記キャップよりも導電性が低い材質で構成され、
前記操作体の進退方向に直交する方向から見たときに、前記環状壁は前記操作体の少なくとも一部と重なる、電子機器。
【請求項４】
請求項３において、
前記直交する方向における前記操作体の外側面は、全周で前記直交する方向における前記環状壁の内側面と向かい合う領域を含み、
前記領域は、向かい合う前記環状壁の内側面と実質的に接している、電子機器。
【請求項５】
請求項２〜４のいずれか１項において、
前記環状壁は、前記環状壁の外側面から前記操作体の進退方向に交差する方向に突出する第１の突起と、前記進退方向において前記第１の突起とは異なる位置において前記外側面から前記交差する方向に突出する第２の突起と、を含み、
前記第１の突起及び前記第２の突起は、前記保護環の少なくとも一部と接する、電子機器。
【請求項６】
請求項１〜５のいずれか１項において、
前記操作体の進退方向に直交する第１方向から見たときに前記キャップが見える面積と、前記第１方向と対向する第２方向から見たときに前記キャップが見える面積が異なる、電子機器。
【発明の詳細な説明】
【技術分野】
【０００１】
本発明は、電子機器に関する。
【背景技術】
【０００２】
電子機器であるデジタルカメラの押しボタンが提案されている（特許文献１を参照）。特許文献１における押しボタンは、金属または金属被覆が施された合成樹脂製の外ボタンと、合成樹脂製の内ボタンとからなる。外ボタンと内ボタンとの接合は、接着剤で行っている。
【先行技術文献】
【特許文献】
【０００３】
【特許文献１】特開２００６−４７５９６号公報
【発明の概要】
【発明が解決しようとする課題】
【０００４】
このような電子機器においては、外ボタンが内ボタンから外れてしまう恐れがある。押しボタンは、電子機器の外観デザインに影響を与えるため、外ボタンが外れてしまうと、電子機器の見栄えの低下は避けられない。
【０００５】
本発明のいくつかの態様に係る目的の１つは、操作体から外れにくいキャップを含む電子機器を提供することにある。
【課題を解決するための手段】
【０００６】
［適用例１］
本適用例に係る電子機器は、前記本体に対して進退可能な操作体と、少なくとも一部が金属で構成され、前記操作体に被せられたキャップと、前記本体に固定される環状の保護環と、を含み、前記保護環の少なくとも一部は、前記操作体の前記キャップ側から見たときに、前記キャップの少なくとも一部を覆う。
【０００７】
本適用例に係る電子機器によれば、キャップ側から見たときに、キャップの一部が本体に固定される保護環に覆われるため、操作体から外れにくい。
【０００８】
［適用例２］
本適用例に係る電子機器において、前記本体は、前記本体から突出する環状の環状壁を含み、前記環状壁は、前記操作体の前記キャップ側から見たときに、前記保護環の少なくとも一部を覆ってもよい。
【０００９】
本適用例に係る電子機器によれば、キャップ側から見たときに、環状壁が保護環の少なくとも一部を覆うので、本体の環状壁によって保護環の移動を制限できる。したがって、保護環によってキャップを本体側に保持することができる。
【００１０】
［適用例３］
本適用例に係る電子機器において、前記環状壁及び前記操作体は、前記キャップよりも導電性が低い材質で構成され、前記操作体の進退方向に直交する方向から見たときに、前記環状壁は前記操作体の少なくとも一部と重なってもよい。
【００１１】
本適用例に係る電子機器によれば、キャップの金属部分からの静電気の影響を環状壁と
操作体によって本体内へ伝えにくくすることができる。
【００１２】
［適用例４］
本適用例に係る電子機器において、前記直交する方向における前記操作体の外側面は、全周で前記直交する方向における前記環状壁の内側面と向かい合う領域を含み、前記領域は、向かい合う前記環状壁の内側面と実質的に接していてもよい。
【００１３】
本適用例に係る電子機器によれば、操作体の外側面は、全周で環状壁の内側面と向かい合う領域を含み、外側面と内側面とは実質的に接している。これにより、例えば、キャップからの静電気が外側面と内側面との隙間から本体内へ侵入しにくくなる。従って、静電気の影響を環状壁と操作体によって本体内へ伝えにくくすることができる。なお、「操作体と環状壁とが実質的に接する」とは、操作体と環状壁とが接している場合、および、静電気の影響が軽減可能な範囲内で間隙を有する場合を含む。
【００１４】
［適用例５］
本適用例に係る電子機器において、前記環状壁は、前記環状壁の外側面から前記操作体の進退方向に交差する方向に突出する第１の突起と、前記進退方向において前記第１の突起とは異なる位置において前記外側面から前記交差する方向に突出する第２の突起と、を含み、前記第１の突起及び前記第２の突起は、前記保護環の少なくとも一部と接してもよい。
【００１５】
本適用例に係る電子機器によれば、進退方向において第１の突起とは異なる位置に第２の突起を配置することにより、例えば、保護環の形状が進退方向において非対称な場合であっても、保護環と環状壁とが少なくとも２つの突起によって接触するので、保護環の移動を制限しやすくできる。
【００１６】
［適用例６］
本適用例に係る電子機器において、前記操作体の進退方向に直交する第１方向から見たときに前記キャップが見える面積と、前記第１方向と対向する第２方向から見たときに前記キャップが見える面積が異なるようにしてもよい。
【００１７】
本適用例に係る電子機器によれば、保護環によるキャップの保護が進退方向に直交する第１方向または第２方向においてより確実になる。
【図面の簡単な説明】
【００１８】
【図１】実施形態に係る電子機器１０の正面図である。
【図２】押しボタン２０ｄの図１におけるＸ−Ｘ断面図である。
【図３】前進方向Ａから見た環状壁８０の正面図である。
【図４】前進方向Ａから見た保護環７０の正面図である。
【図５】保護環７０の図４におけるＹ−Ｙ断面図である。
【図６】操作体２２の図１におけるＸ−Ｘ断面図である。
【図７】キャップ６０の図１におけるＸ−Ｘ断面図である。
【図８】保護環７０、キャップ６０、操作体２２、及び蓋体４０の組立前の斜視図である。
【図９】変形例１に係る電子機器１０ａの竜頭２１の側面図である。
【図１０】変形例１に係る電子機器１０ａの竜頭２１の他の側面図である。
【発明を実施するための形態】
【００１９】
以下、本発明の好適な実施形態について、図面を用いて詳細に説明する。なお、以下に説明する実施形態は、特許請求の範囲に記載された本発明の内容を不当に限定するもので
はない。また、以下で説明される構成の全てが本発明の必須構成要件であるとは限らない。
【００２０】
本実施形態に係る電子機器１０は、本体１２と、前記本体１２に対して進退可能な操作体２２と、少なくとも一部が金属で構成され、前記操作体２２に被せられたキャップ６０と、前記本体１２に固定される環状の保護環７０と、を含み、前記保護環７０の少なくとも一部は、前記操作体２２の前記キャップ６０側から見たときに、前記キャップ６０の少なくとも一部を覆う。
【００２１】
１．電子機器の概要
まず、図１及び図２を用いて、本実施形態に係る電子機器１０の概要について説明する。図１は、実施形態に係る電子機器１０の正面図であり、図２は、実施形態に係る押しボタン２０ｄの図１におけるＸ−Ｘ断面図である。図２において押しボタン２０ｄは常態位置（押されていない位置）にある。
【００２２】
図１に示す電子機器１０は、本体１２と、５つの押しボタン２０ａ，２０ｂ，２０ｃ，２０ｄ，２０ｅと、を有する。電子機器１０は、さらに、本体１２の両端に接続され、ユーザーの腕に巻き付けることができるベルト１４と、電子機器１０の出力内容を表示する表示部１６と、本体１２の内部にあってここでは図示しない電気回路等と、を有する。電子機器１０は、腕時計であってもよい。
【００２３】
本体１２は、表示部１６側に設けられたカバーガラス１６ａとカバーガラス１６ａに対向する裏蓋１８と共に電子機器１０の筐体を構成し、その内部に電気回路等を収納する。本体１２の材質は、ステンレス鋼、チタン系合金、金合金などの金属材料や、ポリカーボネート、ＡＢＳなどのプラスチック材料を用いることができる。
【００２４】
本体１２は、図２に示すように、本体１２の側面に開口１２ｂを有する凹部１２ａと、貫通孔１３と、を有する。貫通孔１３は、押しボタン２０ｄの軸２４を挿通する。貫通孔１３と軸２４との間の隙間は、収納室（パッキンボックス）１３ａとして環状のパッキン３０が前進方向Ａに沿って２本配置される。
【００２５】
押しボタン２０ａ，２０ｂ，２０ｃ，２０ｄ，２０ｅは、図１の左側に２つ、図１の右側に３つ配置される。押しボタン２０ａ，２０ｂ，２０ｃ，２０ｄ，２０ｅは、本体１２の側面から僅かに突出し、ユーザーによって本体１２に設けられた凹部１２ａ内に押しこむことができる。押しボタン２０ａ，２０ｂ，２０ｃ，２０ｄ，２０ｅは、ユーザーが電子機器１０を操作するためのものである。例えば、押しボタン２０ａ，２０ｂ，２０ｃ，２０ｄ，２０ｅを押すことによって、軸２４の先端が本体１２の内部に収納された電気回路等に対して直接または間接的にアクセスする。
【００２６】
図示しない電気回路は、例えば、ＧＰＳ受信機の機能を有するＧＰＳユニット、ＣＰＵ（Central Processing Unit）、ＤＳＰ（Digital Signal Processor）、ＡＳＩＣ（Application Specific Integrated Circuit）等から構成される処理部、ＲＯＭ（Read Only Memory）やフラッシュＲＯＭ、ＲＡＭ（Random Access Memory）等の各種ＩＣメモリーやハードディスクやメモリーカードなどの記録媒体等により構成される記憶部、時刻情報を生成する処理を行う計時部、処理部から送られる画像データ、テキストデータなどを表示する表示部、処理部から送られる音データを音声やブザー音等の音として出力する音出力部、外部装置（例えば、スマートホン、タブレットＰＣ（Personal Computer）、ノートＰＣ、デスクトップＰＣなど）と通信を行い処理部が生成した各種の情報（例えば、測位データ、累積移動距離、移動軌跡などの情報）を外部装置へ転送する通信部等が備えられる。
【００２７】
２．押しボタン
押しボタン２０ｄの詳細構造について、図２〜図８を用いて説明する。
【００２８】
図２は、押しボタン２０ｄの図１におけるＸ−Ｘ断面図である。電子機器１０は、本体１２に対して進退可能な操作体２２と、少なくとも一部が金属で構成され、操作体２２に被せられたキャップ６０と、本体１２に固定される環状の保護環７０と、を含む。
【００２９】
２−１．操作体
図２、図６及び図８を用いて、操作体２２について説明する。図６は、操作体２２の図１におけるＸ−Ｘ断面図であり、図８は、保護環７０、キャップ６０、操作体２２、及び蓋体４０の斜視図である。なお、図６において、操作体２２以外の構成は省略している。
【００３０】
操作体２２は、ユーザーによって押される側にある外面２２ａと、外面２２ａの反対側の内面２２ｂと、を含む。ユーザーに押された操作体２２（キャップ６０）は、本体１２側、すなわち矢印で示した前進方向Ａに沿って移動する。外面２２ａは、キャップ６０が装着される面であり、前進方向Ａにおける操作体２２の後端面である。図には示していないが、前進方向Ａから見たときに操作体２２の外面２２ａは円形である。内面２２ｂは本体１２側に配置されたスプリング５０の一方の端部が接触し、矢印で示した操作体２２の退行方向Ｂへ常に操作体２２を付勢する。
【００３１】
また、操作体２２は、前進方向Ａから見た操作体２２の外面２２ａの外縁から本体１２側へ前進方向Ａに沿って延在する環状の壁部２２ｃを含む。壁部２２ｃの内側面は、スプリング５０の前進方向Ａに直交する方向への移動を制限する。
【００３２】
軸２４は、操作体２２から本体１２内へ前進方向Ａに沿って延在する。軸２４は、本体１２に設けられた貫通孔１３を貫通し、一端が操作体２２と一体に固定され、他端が本体１２の内部にある。軸２４の他端には止め具２６が固定され、止め具２６が本体１２の内面に接触することで軸２４を操作体２２の退行方向Ｂへ移動するのを制限する。止め具２６は、公知のＥ型やＣ型等のスナップリングである。軸２４は金属製であり、プラスチック製の操作体２２にインサート成形される。
【００３３】
操作体２２の材質は、キャップ６０よりも導電性が低い材質で構成され、例えば、軽量化や生産性に優れるプラスチック製である。操作体２２の材質は、電気絶縁性に優れるプラスチックを用いてもよい。キャップ６０の金属部分からの静電気の影響を操作体２２によって本体１２内へ伝えにくくすることができる。
【００３４】
２−２．キャップ
図２、図７及び図８を用いて、キャップ６０について説明する。図７は、キャップ６０の図１におけるＸ−Ｘ断面図である。なお、図７において、キャップ６０以外の構成は省略している。
【００３５】
キャップ６０は、少なくとも一部が金属で構成される。キャップ６０は、少なくとも電子機器１０の本体１２に装着された状態で視認できる範囲に金属を施してもよい。キャップ６０は、プラスチック製の本体に金属メッキ等の表面処理を施してもよい。キャップ６０は、ステンレス鋼、アルミニウムなどの金属製であってもよい。例えばステンレス鋼で作られたキャップ６０は、金属光沢によって高い装飾性を有し、ユーザーに対し、電子機器１０のデザインへの高級感や高強度感を与える。しかし、電子機器は一般に軽量化が求められるため、操作体２２には軽量のプラスチックを採用すると共に、キャップ６０には金属部分を採用することよって、軽量化と高い装飾性とを両立することができる。
【００３６】
キャップ６０は、前進方向Ａから見たときの平板状（ここでは円板状）の外縁から本体１２側へ延びる環状の部分を含み、その環状の部分の本体１２側の端部から外方（前進方向Ａに直交する方向であって軸２４とは反対側）へ突出するフランジ部６２を含む。キャップ６０は、前進方向Ａから見たときに、外面６４が正面であり、環状の部分の外表面が側面であり、この側面を外側面６６という。フランジ部６２は、キャップ６０の全周に渡って形成される。フランジ部６２は後述する保護環７０によって隠れる部分であるので、全周に連続して形成されることに限定されず、例えば、外側面６６から間隔を置いて部分的に突出する複数の突起でもよい。
【００３７】
キャップ６０は、前進方向Ａにおいて操作体２２と対向する内面６５が操作体２２の外面２２ａに接着剤６８によって接着される。キャップ６０は、前進方向Ａにおける後端面である外面６４がユーザーによって押される面である。キャップ６０は、操作体２２から退行方向Ｂへ外れにくくするための機械的な係合部分を含んでもよい。
【００３８】
キャップ６０は、外側面６６の全周に渡って設けられた環状の溝であるインク溝６７を含む。インク溝６７内には、キャップ６０の色とは異なる色の塗料が塗られる。インク溝６７の色によって押しボタン２０ｄの機能を表したり、インク溝６７の色が見えるか否かによって押しボタン２０ｄが押された状態にあるか否かを確認したりできる。さらに、インク溝６７の色は、キャップ６０の装飾性を高めることができる。
【００３９】
２−３．保護環
図２、図４、図５及び図８を用いて、保護環７０について説明する。図４は前進方向Ａから見た保護環７０の正面図であり、図５は保護環７０の図４におけるＹ−Ｙ断面図である。
【００４０】
保護環７０は、前進方向Ａに延びる筒状であり、筒の内側を操作体２２及びキャップ６０が前進方向Ａ及び退行方向Ｂに沿って進退移動する。保護環７０は、図４のように前進方向Ａから見て、手前側の端部７３で開口し、外側の側面である外側面７６と、内側の側面である内側面７７（図５）を含む。
【００４１】
保護環７０は、内側面７７に沿って形成された２つの溝である第１の溝７１と第２の溝７２を含む。第１の溝７１と第２の溝７２は、前進方向Ａにおける異なる位置に形成され、第１の溝７１が第２の溝７２より本体１２側である。保護環７０は、第１の溝７１及び第２の溝７２に、後述する本体１２の環状壁８０の第１の突起８５及び第２の突起８６が係合して（図２）、本体１２に固定される。
【００４２】
保護環７０は、端部７３側にあって内側面７７から内側（筒の中心軸側）に突出する環状の段を含み、その環状の段がキャップ６０のフランジ部６２の前進方向Ａへの移動を制限する移動制限部７４である。保護環７０の少なくとも一部は、操作体２２のキャップ６０側から見たときに、キャップ６０の少なくとも一部を覆う。すなわち、保護環７０の移動制限部７４は、キャップ６０側から見たときに、キャップ６０のフランジ部６２の少なくとも一部を覆い、フランジ部６２よりも手前にあってフランジ部６２を隠す。図２に示すように、キャップ６０が退行位置（常態位置）にあるときに、移動制限部７４とフランジ部６２とはわずかな隙間を隔てて対向して配置され、接触していないが、接触してもよい。キャップ６０の一部であるフランジ部６２が本体１２に固定される保護環７０とキャップ６０側から見たときに覆うため、操作体２２からキャップ６０が外れにくく、外れても保護環７０から外れることがない。
【００４３】
図２に示すように、保護環７０は、キャップ６０が常態位置にあるときに、前進方向Ａ
に直交するいずれの方向から見てもキャップ６０の少なくとも一部と重なる。保護環７０によってキャップ６０の周囲を覆うことによって、前進方向Ａに直交する方向からキャップ６０へ衝撃を受けた場合であっても、保護環７０によりキャップ６０を保護することができる。
【００４４】
保護環７０の端部７３は、前進方向Ａに直交する方向から見て、キャップ６０の外側面６６と重なる位置にある。保護環７０の端部７３は、退行方向Ｂにおける高さが異なる部分を含む。図５に示すように、保護環７０は、退行方向Ｂにおいて、本体１２のカバーガラス１６ａ側で低い第１端部７３ａと、裏蓋１８側で高い第２端部７３ｂとを含む。ここでの高さは、図５における仮想線Ｇから退行方向Ｂへの長さである。したがって、進退方向（Ａ，Ｂ）に直交する第１方向Ｃ（カバーガラス１６ａ側）から見たときにキャップ６０が見える面積と、第１方向Ｃと対向する第２方向Ｄ（裏蓋１８側）から見たときにキャップ６０が見える面積が異なる。このように、保護環７０によるキャップ６０の保護が進退方向（Ａ，Ｂ）に直交する第１方向Ｃまたは第２方向Ｄにおいてより確実になる。ここでは、第１端部７３ａよりも第２端部７３ｂを高くすることで、保護環７０によるキャップ６０の保護が所定の方向（第２方向Ｄ）においてより確実になる。腕時計型の電子機器１０においては、端部７３の形状によって、第１方向Ｃ側からは押しボタン２０ｄに対するユーザーのアクセスを容易にし、第２方向Ｄ側からは押しボタン２０ｄに対する衝撃等から確実に保護することができる。
【００４５】
保護環７０は、少なくとも一部が金属で構成される。保護環７０は、少なくとも電子機器１０の本体１２に装着された状態で視認できる範囲に金属を施してもよい。保護環７０は、プラスチック製の本体に金属メッキ等の表面処理を施してもよい。保護環７０は、ステンレス鋼、アルミニウムなどの金属製であってもよい。例えばステンレス鋼等の金属で作られた保護環７０は、金属光沢によって高い装飾性を有し、ユーザーに電子機器１０のデザインに対して高級感や高強度感を与えると共に、外部からの衝撃等から押しボタン２０ｄを保護することができる。
【００４６】
３．本体
３−１．環状壁
図２及び図３を用いて、環状壁８０について説明する。図３は前進方向Ａから見た環状壁８０の正面図である。なお、図３においては、本体１２以外の構成を省略して示し、わかりやすくするために退行方向Ｂ側に突出している部分にハッチングを施して示している。
【００４７】
本体１２は、本体１２から退行方向Ｂ側に突出する環状の環状壁８０を含む。環状壁８０は、操作体２２のキャップ６０側から見たときに、保護環７０の少なくとも一部を覆う。環状壁８０は、操作体２２の退行方向Ｂへの保護環７０の移動を制限する。したがって、保護環７０によってキャップ６０を本体１２側に保持することができる。環状壁８０は、図３のように前進方向Ａ側から見て、外側の側面である外側面８４と、内側の側面である内側面８２と、を含む。
【００４８】
環状壁８０は、環状壁８０の外側面８４から操作体の進退方向（Ａ，Ｂ）に交差する方向に突出する第１の突起８５と、進退方向（Ａ，Ｂ）において第１の突起８５とは異なる位置において外側面８４から進退方向（Ａ，Ｂ）に交差する方向に突出する第２の突起８６と、を含む。第１の突起８５と第２の突起８６とは互いに逆の方向へ突出する。第１の突起８５及び第２の突起８６の外側面８４からの突出距離は、保護環７０の第１の溝７１及び第２の溝７２の深さに対応して同程度の長さである。また、第１の突起８５及び第２の突起８６の進退方向（Ａ，Ｂ）における長さは、第１の溝７１及び第２の溝７２の進退方向（Ａ，Ｂ）における幅と等しいかわずかに短い。
【００４９】
第１の突起８５は、第２の突起８６に対し進退方向（Ａ，Ｂ）において異なる位置にある。第１の突起８５は、第２の突起８６よりも前進方向Ａにおける図２の手前側にある。第１の突起８５と第２の突起８６は、第１の溝７１及び第２の溝７２内で保護環７０の少なくとも一部と接する。このため、第１の突起８５と第２の突起８６は、操作体２２の退行方向Ｂへの保護環７０の移動を制限する。進退方向（Ａ，Ｂ）において第１の突起８５とは異なる位置に第２の突起８６を配置することにより、例えば、保護環７０の形状が進退方向（Ａ，Ｂ）において非対称な場合であっても、保護環７０と環状壁８０とが少なくとも２つの突起８５，８６によって接触するので、保護環７０の移動を制限しやすくできる。また、進退方向（Ａ，Ｂ）における異なる位置に２つの突起８５，８６を配置することにより、本体１２の前進方向Ａにおける形状に合わせて保護環７０と接触することができる。環状壁８０によって退行方向Ｂへの保護環７０の移動を制限することで、保護環７０によってキャップ６０を本体１２側に保持することができる。
【００５０】
本実施の形態においては、裏蓋１８の形態（内部の部品との関係を含む）によって、本体１２が裏蓋１８側で保護環７０を受け入れる部分を形成することができない。電子機器１０は小型化による省スペースの関係上、このように保護環７０を受け入れる部分が十分にない場合がある。このような場合でも、保護環７０の溝と係合する突起の位置を前進方向Ａにおいて複数有することにより、電子機器１０の形状に合わせながらも確実に保護環７０を環状壁８０に固定することができる。
【００５１】
保護環７０は、図４に破線で示す切欠き部７５ａ，７５ｂを含む。切欠き部７５ａは本体１２側の端部から第１の溝７１へ向かって退行方向Ｂに延び、切欠き部７５ｂは本体１２側の端部から第２の溝７２へ向かって退行方向Ｂに延びる。保護環７０を環状壁８０に嵌めるときは、図４の位置から保護環７０を右回りに回転させ、切欠き部７５ａ，７５ｂを図３の第１の突起８５及び第２の突起８６の位置に合わせる。切欠き部７５ａ，７５ｂには前進方向Ａに沿って第１の突起８５及び第２の突起８６の移動を遮るものはないので、保護環７０に環状壁８０を挿入する。保護環７０が所定位置に配置されたら、保護環７０を図４における左回りに回転させて図４の位置に戻す。第１の溝７１は第１の突起８５を受け入れ、第２の溝７２は第２の突起８６を受け入れ、図２に示す状態となり、保護環７０の退行方向Ｂへの移動を制限する。
【００５２】
環状壁８０は、キャップ６０よりも導電性が低い材質で構成され、例えば、軽量化や生産性に優れるプラスチック製である。環状壁８０の材質は、電気絶縁性に優れるプラスチックを用いてもよい。外部から保護環７０及びキャップ６０の金属部分への静電気の影響を環状壁８０によって本体１２内へ伝えにくくすることができる。特に、操作体２２の進退方向（Ａ，Ｂ）に直交する方向から見たときに、環状壁８０は操作体２２の少なくとも一部と重なるため、キャップ６０の金属部分からの静電気の影響を環状壁８０と操作体２２によって本体１２内へ伝えにくくすることができる。
【００５３】
操作体２２や環状壁８０に用いるプラスチックの材質は、例えば、ＡＢＳ（アクリロニトリル−ブタジエン−スチレン）樹脂、ポリカーボネート樹脂、ポリアセタール樹脂、ポリアミド樹脂などを用いることができる。
【００５４】
より具体的に説明すると、進退方向（Ａ，Ｂ）に直交する方向における操作体２２の外側面２２ｄは、全周でその直交する方向における環状壁８０の内側面８２と向かい合う領域２２ｅ（図６）を含む。領域２２ｅは、向かい合う環状壁８０の内側面８２と実質的に接している。なお、「操作体２２と環状壁８０とが実質的に接する」とは、操作体２２と環状壁８０とが接している場合、および、静電気の影響が軽減可能な範囲内で間隙を有する場合を含む。操作体２２の外側面８４は、全周で環状壁８０の内側面８２と向かい合う
領域２２ｅを含み、外側面８４と内側面８２とは実質的に接している。これにより、例えば、キャップ６０からの静電気が外側面８４と内側面８２との隙間から本体１２内へ侵入しにくくなる。従って、静電気の影響を環状壁８０と操作体２２によって本体１２内へ伝えにくくすることができる。また、押しボタン２０ｄを押したときの操作体２２の移動の際に、操作体２２の外側面２２ｄを環状壁８０の内側面８２によって案内することができる。
【００５５】
環状壁８０は、外側面８４から進退方向（Ａ，Ｂ）に直交する方向に突出する小突起８７を複数含む。図３に示すように、小突起８７は、４つ設けられている。小突起８７の突出長さは、環状壁８０の外側面８４と保護環７０の内側面７７との間隔よりもわずかに大きい。そのため、保護環７０の環状壁８０に対するガタツキを抑えることができる。
【００５６】
３−２．その他の構成
図２及び図３を用いて、本体１２における環状壁８０以外の構成について説明する。
【００５７】
図２に示すように、パッキン３０は、ゴム製またはプラスチック製の環状体であり、貫通孔１３における本体１２の内部と外部との所定の気密性を維持する。パッキン３０は、ゴム製のＯリングであってもよい。パッキン３０は、内側の孔に軸２４が挿通し、本体１２に設けられた収納室１３ａに収納される。収納室１３ａは、貫通孔１３の一部であって、軸２４の外径よりも大きな内径を有する。収納室１３ａは、軸２４が挿通された状態で操作体２２側に開口し、蓋体４０の一部を受け入れる。
【００５８】
蓋体４０は、軸２４を囲む環状体である。蓋体４０は、パッキン３０を本体１２との間に挟持する。蓋体４０は、操作体２２の前進方向Ａに交差する方向へ突出する受け部４６を含む。蓋体４０は、本体１２から退行方向Ｂ側へ突出する部分の端面である載置面１２ｄに接する。載置面１２ｄの中央には貫通孔１３の開口が形成される。受け部４６は、フランジ状の部分であり、操作体２２の内面２２ｂと対向する面にスプリング５０の端部が接触する。軸２４は止め具２６によって操作体２２の退行方向Ｂへの移動が制限されるため、スプリング５０の付勢力によって蓋体４０は本体１２（載置面１２ｄ）側へ押し付けられ、操作体２２は退行方向Ｂへ押し付けられる。したがって、蓋体４０は、常にパッキン３０を収納室１３ａ内に保持する。
【００５９】
スプリング５０は、軸２４及び蓋体４０を囲む例えば金属製のコイルスプリングである。軸２４を囲むように環状の蓋体４０及びスプリング（コイルスプリング）５０が配置されることで、軸２４が傾きにくく、操作体２２及び軸２４が前進方向Ａに安定して移動することができる。
【００６０】
押しボタン２０ｄは、前進方向Ａ及び退行方向Ｂに進退移動するだけであったが、回転する構造であってもよい。回転する構造を採用した変形例１（竜頭）について以下説明する。
【００６１】
４．変形例１
図９及び図１０を用いて変形例１に係る電子機器１０ａの竜頭２１について説明する。図９は、変形例１に係る電子機器１０ａの竜頭２１の側面図であり、図１０は、変形例１に係る電子機器１０ａの竜頭２１の第１方向Ｃから見た他の側面図である。なお、以下の説明では押しボタン２０ｄと重複する説明は省略する。
【００６２】
図９及び図１０に示すように、竜頭２１は、図１における押しボタン２０ｄ等の代わりに配置されてもよい。竜頭２１は、回転軸Ｏの周りに回転する。竜頭２１は、前進方向Ａ及び退行方向Ｂに沿って進退移動可能でもよい。竜頭２１は、例えば、腕時計に用いられ
る公知の竜頭の構造を採用することができる。
【００６３】
竜頭２１の周りには、保護環７０ａを含む。保護環７０ａは、第１端部７３ｃ及び第２端部７３ｄの形状が図２等に示した保護環７０と異なる。竜頭２１をユーザーが指で回転させるため、保護環７０ａの図９における上下の両側の位置で、第１端部７３ｃが第２端部７３ｄよりも退行方向Ｂに低くなっている。
【００６４】
ここで説明した実施形態及び変形例の電子機器１０，１０ａは、本実施形態では腕時計型であったが、これに限定されるものでは無く、他の公知の電子機器に適宜採用することができる。
【００６５】
本発明は、上述した実施形態に限定されるものではなく、さらに種々の変形が可能である。例えば、本発明は、実施形態で説明した構成と実質的に同一の構成（例えば、機能、方法、及び結果が同一の構成、あるいは目的及び効果が同一の構成）を含む。また、本発明は、実施形態で説明した構成の本質的でない部分を置き換えた構成を含む。また、本発明は、実施形態で説明した構成と同一の作用効果を奏する構成又は同一の目的を達成することができる構成を含む。また、本発明は、実施形態で説明した構成に公知技術を付加した構成を含む。
【符号の説明】
【００６６】
１０…電子機器（時計）、１２…本体、１２ａ…凹部、１２ｂ…開口、１２ｄ…載置面、１３…貫通孔、１３ａ…収納部、１４…ベルト、１６…表示部、１６ａ…カバーガラス、１８…裏蓋、２０ａ，２０ｂ，２０ｃ，２０ｄ，２０ｅ…押しボタン、２１…竜頭、２２…操作体、２２ａ…外面、２２ｂ…内面、２２ｃ…壁部、２２ｄ…外側面、２２ｅ…領域、２４…軸、２６…止め具、３０…パッキン、４０…蓋体、４６…受け部、５０…スプリング、６０…キャップ、６２…フランジ部、６４…外面、６５…内面、６６…外側面、６７…インク溝、７０…保護環、７１…第１の溝、７２…第２の溝、７３…端部、７３ａ…第１端部、７３ｂ…第２端部、７３ｃ…第１端部、７３ｄ…第２端部、７４…移動制限部、７５ａ，７５ｂ…切欠き部、７６…外側面、７７…内側面、８０…環状壁、８２…内側面、８４…外側面、８５…第１の突起、８６…第２の突起、８７…小突起、Ａ…前進方向、Ｂ…後退方向、Ｃ…第１方向、Ｄ…第２方向、Ｏ…中心軸
【図１】
2017004829.tif 000003
【図２】
2017004829.tif 000004
【図３】
2017004829.tif 000005
【図４】
2017004829.tif 000006
【図５】
2017004829.tif 000007
【図６】
2017004829.tif 000008
【図７】
2017004829.tif 000009
【図９】
2017004829.tif 000010
【図１０】
2017004829.tif 000011
【図８】
2017004829.tif 000012